(57)【要約】  無線通信ネットワークの複数の受信アンテナ４を有する送受信ステーション３をアンテナダイバーシチモードにより動作させる方法は、各受信アンテナを介し連続的に、前記ネットワークの他の２つの送受信ステーション１と２の間の通信を聴取するステップと、前記他の２つの送受信ステーションの一とのベストの通信リンクを確立する前記複数の受信アンテナのうちの受信アンテナを特定するため、各受信アンテナに関する聴取クオリティを解析するステップとから構成される。
2007509548.tif 000002
【特許請求の範囲】
【請求項１】
無線通信ネットワークの複数の受信アンテナを有する送受信ステーションをアンテナダイバーシチモードにより動作させる方法であって、
各受信アンテナを介し連続的に、前記ネットワークの他の２つの送受信ステーションの間の通信を聴取するステップと、
前記他の２つの送受信ステーションの一とのベストの通信リンクを確立する前記複数の受信アンテナのうちの受信アンテナを特定するため、各受信アンテナに関する聴取クオリティを解析するステップと、
から構成されることを特徴とする方法。
【請求項２】
請求項１記載の方法であって、
前記ネットワークの他の２つの送受信ステーションの一は、前記ネットワークのアクセスポイントであることを特徴とする方法。
【請求項３】
請求項１又は２記載の方法であって、
前記聴取クオリティを解析するステップは、アクノリッジメントフレームの受信に応答して検証されることを特徴とする方法。
【請求項４】
請求項１乃至３何れか一項記載の方法であって、
前記聴取クオリティを解析するステップは、前記他のステーションからのフレームの受信に関する信号パワーの測定に基づくことを特徴とする方法。
【請求項５】
請求項１乃至４何れか一項記載の方法であって、
前記聴取クオリティを解析するステップは、前記他のステーションからのフレームのデータと所定のデータとの比較に基づくことを特徴とする方法。
【請求項６】
請求項４記載の方法であって、
前記聴取クオリティを解析するステップは、前記他のステーションからのフレームの受信に関する信号パワーの測定と、プリアンブルと第１テストアンテナに対する所定のデータとの比較の組み合わせと、第２テストアンテナに対する前記他のステーションからのフレームの受信に関する信号パワーの測定とに基づくことを特徴とする方法。
【請求項７】
請求項６記載の方法であって、
前記第１テストアンテナは、最も以前の測定の組み合わせを有するアンテナであることを特徴とする方法。
【請求項８】
請求項６又は７記載の方法であって、
前記比較は、相関測定であることを特徴とする方法。
【請求項９】
無線通信ネットワークにおいてアンテナダイバーシチモードにより動作する複数の受信アンテナを有する送受信ステーションであって、
各受信アンテナを介し連続的に、前記ネットワークの他の２つの送受信ステーションの間の通信を聴取する手段と、
前記他の２つの送受信ステーションの一とのベストの通信リンクを確立する前記複数の受信アンテナのうちの受信アンテナを特定するため、各受信アンテナに関する聴取クオリティを解析する手段と、
から構成されることを特徴とする送受信ステーション。
【請求項１０】
請求項９記載の送受信ステーションであって、
前記ネットワークの他の２つの送受信ステーションの一は、前記ネットワークのアクセスポイントであることを特徴とする送受信ステーション。
【請求項１１】
請求項９又は１０記載の送受信ステーションであって、
前記聴取クオリティの解析は、アクノリッジメントフレームの受信に応答して検証されることを特徴とする送受信ステーション。
【請求項１２】
請求項９乃至１１何れか一項記載の送受信ステーションであって、
前記聴取クオリティの解析は、前記他のステーションからのフレームの受信に関する信号パワーの測定に基づくことを特徴とする送受信ステーション。
【請求項１３】
請求項９乃至１２何れか一項記載の送受信ステーションであって、
前記聴取クオリティの解析は、前記他のステーションからのフレームのデータと所定のデータとの比較に基づくことを特徴とする送受信ステーション。
【請求項１４】
請求項１２記載の送受信ステーションであって、
前記聴取クオリティの解析は、前記他のステーションからのフレームの受信に関する信号パワーの測定と、プリアンブルと第１テストアンテナに対する所定のデータとの比較の組み合わせと、第２テストアンテナに対する前記他のステーションからのフレームの受信に関する信号パワーの測定とに基づくことを特徴とする送受信ステーション。
【請求項１５】
請求項１４記載の送受信ステーションであって、
前記第１テストアンテナは、最も以前の測定の組み合わせを有するアンテナであることを特徴とする送受信ステーション。
【請求項１６】
請求項１４又は１５記載の送受信ステーションであって、
前記比較は、相関測定であることを特徴とする送受信ステーション。
【請求項１７】
請求項９乃至１６何れか一項記載の１以上のステーションを有することを特徴とする無線通信ネットワーク。
【発明の詳細な説明】
【発明の詳細な説明】
【０００１】
１．発明の技術分野
本発明は、アンテナダイバーシチモードにおける無線通信ネットワークの送受信ステーションの動作方法に関する。
【０００２】
より詳細には、本発明は、ネットワークのステーション間にダイレクトリンクが存在するＩＥＥＥ８０２．１１米国規格又はＥＴＳＩ（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）のＨｉｐｅｒｌａｎ／２欧州規格を利用した無線通信ネットワークのためのものである。
２．背景技術
特に、ＩＥＥＥ８０２．１１規格の場合、無線通信ネットワークは、アクセスポイントが存在せず、各ステーションがネットワークの他のすべてのステーションと通信可能な「アドホック」ネットワークとすることができる。通信ネットワークはまた、集中化することができる（すなわち、ＢＳＳは、「ベーシック・サービス・セット（Ｂａｓｉｃ  Ｓｅｒｖｉｃｅ  Ｓｅｔ）」を表す）。この場合、各ステーションは、ＡＰ（アクセスポイント）タイプの１つのステーションのみと通信する。
【０００３】
Ｈｉｐｅｒｌａｎ／２規格について、ステーションは、ＣＣ（セントラルコントローラ）タイプのステーションとＭＴ（モバイルターミナル）タイプのステーションの２つのタイプを有するものであってもよい。
【０００４】
さらに、通信リンクは、「ダウンリンク」タイプ（ＣＣステーションからＭＴステーションへのダウンリンク）のリンク、「アップリンク」タイプ（ＭＴステーションからＣＣステーションへのダウンリンク）のリンク、及び「ダイレクトリンク」タイプ（２つのＭＴステーション間のダイレクトリンク）のリンクの３つのタイプを有するものであってもよい。
【０００５】
このような無線通信ネットワークでは、ネットワークの２つのステーション間の通信リンクは、ユーザの移動などの障害により切断される可能性があり、このことはおそらくネットワークのパフォーマンスに影響を与える。ネットワークをノイズ及び干渉の影響を受けにくいものにするため、ネットワークの各ステーションは、アンテナダイバーシチモードにより動作し、ネットワークのその他の送受信ステーションとのベストの通信リンクを確立する複数の受信アンテナの中の受信アンテナを定期的に特定しようとする。
【０００６】
ＩＥＥＥ８０２．１１規格では、ネットワークの固定又はモバイルステーション間の通信は、より詳細には、コンピュータ及びアクセスポイント（又はネットワークのノード）は、
・媒体へのアクセスを制御するのに用いられる「Ｒｅｑｕｅｓｔ  Ｔｏ  Ｓｅｎｄ」と「Ｃｌｅａｒ  Ｔｏ  Ｓｅｎｄ」をそれぞれ表すいわゆる「ＲＴＳ」及び「ＣＴＳ」、データの受信を確認する「Ａｃｋｎｏｗｌｅｄｇｅｍｅｎｔ」を表す「ＡＣＫ」などの小さいサイズの制御フレーム
・データの送信に用いられ、おそらく大量の情報を含むいわゆる「ＤＡＴＡ」フレームであるデータフレーム
・ネットワーク管理情報を交換するのに利用される管理フレーム
の転送により実行される。
【０００７】
ＤＣＦ（Ｄｉｓｔｒｉｂｕｔｅｄ  Ｃｏｏｒｄｉｎａｔｉｏｎ  Ｆｕｎｃｔｉｏｎ）と呼ばれるネットワークのステーション間の通信機構（いわゆる、通信媒体にアクセスするための機構）は、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）通信プロトコルを利用し、以下で説明される。
・データを第２ステーションに送信することを所望する第１ステーションは、一定期間通信媒体をリザーブするため、それの送信放射においてすべてのステーションにＲＴＳフレームを送信する。ＲＴＳフレームは、ＭＡＣ  ＩＤ（Ｍｅｄｉｕｍ  Ａｃｃｅｓｓ  Ｃｏｎｔｒｏｌ  ＩＤｅｎｔｉｆｉｃａｔｉｏｎ）送信ステーションの識別子と共に、当該データを受信するステーションの識別子及びこれら２つのステーション間の通信時間を含む。
・第２ステーションは、媒体がフリーである場合、ＲＴＳフレームと同じ情報を含み、ＣＴＳフレームによりデータ転送の受付を通知するため、送信放射のすべてのステーションに応答する。
・ＲＴＳ又はＣＴＳフレームの少なくとも１つを受信した通信中の２つのステーション以外のすべてのステーションは、受信した情報、それらのＮＡＶ（Ｎｅｔｗｏｒｋ  Ａｌｌｏｃａｔｉｏｎ  Ｖｅｃｔｏｒ）標識、及びいわゆるデータ転送を妨害しないようにすべての動作を停止する期間に基づき設定される。
・ＣＴＳフレームの受信後、第１ステーションは、１以上のＤＡＴＡフレームにより第２ステーションに転送されるべきデータを送信する。
・第２ステーションは、このデータを受信し、データの適切な受信を通知するため、第１ステーションにＡＣＫフレームを送信する。
【０００８】
欧州特許出願第１３３５５４５号では、アンテナダイバーシチモードにより動作する受信ステーションは、ＤＡＴＡフレームの送信前に送信ステーションにより生成されるテストフレームを利用する。これらのテストフレームは、送信ステーションとのベストの通信リンクを確立する複数のアンテナの中の受信アンテナを特定するのに供される。この識別機構は、テストフレームの受信に関する信号のパワーの測定結果に基づく（いわゆるＲＳＳ（Ｒｅｃｅｉｖｅｄ  Ｓｉｇｎａｌ  Ｓｔｒｅｎｇｔｈ）。識別機構は、既知のシーケンスを構成するプリアンブルを測定することによって、より効果的なものとなるかもしれない。この方法によると、テストフレームの送信は帯域幅を占有し、これによりネットワークのパフォーマンスを低下させる。
３．発明の概要
本発明の目的は、特定のテストフレームを利用する必要なくアンテナダイバーシチモードにより無線通信ネットワークの送受信ステーションを動作する方法を提案することである。
【０００９】
このため、本発明は、無線通信ネットワークの複数の受信アンテナを有する送受信ステーションをアンテナダイバーシチモードにより動作させる方法である。本方法は、
・各受信アンテナを介し連続的に、前記ネットワークの他の２つの送受信ステーションの間の通信を聴取するステップと、
・前記他の２つの送受信ステーションの一とのベストの通信リンクを確立する前記複数の受信アンテナのうちの受信アンテナを特定するため、各受信アンテナに関する聴取クオリティを解析するステップと、
から構成される。
【００１０】
本発明の実施例によると、前記ネットワークの他の２つの送受信ステーションの一は、前記ネットワークのアクセスポイントである。
【００１１】
本発明の他の実施例によると、前記聴取クオリティを解析するステップは、アクノリッジメントフレームの受信に応答して検証される。
【００１２】
本方法によると、アンテナダイバーシチモードにより動作する受信アンテナの選択は、それの非アクティブ期間中に当該ステーションにおいてなされる（すなわち、ＮＡＶ標識により規定されるリザーブされた媒体の期間）。本発明の方法によると、ステーションはもはやテストフレームを利用してアンテナダイバーシチモードでは動作しない。このため、本発明による方法は、帯域幅の劣化なく無線通信ネットワークのパフォーマンスを向上させるのに利用される。
【００１３】
本発明による方法は、以下の特徴を示すことが可能である。
・前記聴取クオリティを解析するステップは、前記他のステーションからのフレームの受信に関する信号パワーの測定に基づく。
・前記聴取クオリティを解析するステップは、前記他のステーションからのフレームのデータと所定のデータとの比較に基づく。
【００１４】
本発明の実施例によると、前記聴取クオリティを解析するステップは、前記他のステーションからのフレームの受信に関する信号パワーの測定と、プリアンブルと第１テストアンテナに対する所定のデータとの比較の組み合わせと、第２テストアンテナに対する前記他のステーションからのフレーム（ＤＡＴＡ）の受信に関する信号パワーの測定とに基づく。
【００１５】
ある実施例によると、前記第１テストアンテナは、最も以前の測定の組み合わせを有するアンテナである。
【００１６】
他の実施例によると、プリアンブルと所定のデータとの比較は、相関測定である。
【００１７】
本発明は、上述の本発明の方法を実現するよう具体的に構成された送受信ステーションと共に、当該送受信ステーションを有する無線通信ネットワークに拡張される。
４．図面のリスト
本発明は、ここでより詳細に説明され、図面により図示される。
【００１８】
図１は、本発明による送受信ステーションを有する無線通信ネットワークを図式的に示す。
【００１９】
図２は、アンテナダイバーシチモードによりステーションを動作させるための本発明による方法の第１実現形態を示す図式的な概略図である。
【００２０】
図３は、アンテナダイバーシチモードによりステーションを動作させるための本発明による方法の第２実現形態を示す図式的な概略図である。
【００２１】
図４は、アンテナダイバーシチモードによりステーションを動作させるための本発明による方法の第３実現形態を示す図式的な概略図である。
５．発明の詳細な説明
図１において、複数の受信アンテナ４を有する送受信ステーション３を有する本発明による無線通信ネットワークのトポロジーが示される。互いに通信可能な他の２つのステーション１と２が、この無線通信ネットワークにおいて表されている。もちろん、本発明による無線通信ネットワークは、より多くのステーションを有することが可能である。ステーション１〜３は、コンピュータ、ネットワークのアクセスポイント、音声映像機器などの固定式又は可動式のものであってもよい。ネットワークのアクセスポイントは、ネットワークの通信マネージャとして規定される。
【００２２】
図１のサークル５は、ＲＴＳ及びＤＡＴＡフレームを送信する際、ステーション１の送信アンテナの送信放射を表す。同様に、ＣＴＳ及びＡＣＫフレームを送信する際、ステーション２の送信アンテナの送信放射はサークル６により表される。
【００２３】
図１に示されるように、ステーション３は、ステーション１と２の放射ゾーン内に配置されているため、ステーション１と２の通信中、ステーション３はＲＴＳ、ＣＴＳ、ＤＡＴＡ及びＡＣＫフレームを受信可能である。
【００２４】
本発明によると、ステーション１と２の間で交換されるフレームは、例えば、ステーション１のベストな通信リンクを確立するそれの受信アンテナ４の中の１つを特定するため、ステーション３により利用される。
【００２５】
図２は、受信アンテナダイバーシチモードによりステーション３を動作させる本発明による方法の第１実現形態を示す概略図である。
【００２６】
７において、ステーション３は、ステーション１により送信されるＲＴＳフレームを抽出する。このＲＴＳフレームは、ステーション２との通信に通信媒体をリザーブするためステーション１に利用される。
【００２７】
８において、ステーション３は、ＲＴＳフレームからステーション１のＭＡＣ  ＩＤアドレスを抽出し、このＭＡＣ  ＩＤアドレスをテーブルに格納する。さらに、ステーション３は、ＲＴＳフレームからＮＡＶ標識を抽出する（図２のブロック９）。
【００２８】
上述のように、ＮＡＶ標識は、ステーション１と２がＣＴＳ、ＤＡＴＡ及びＡＣＫフレームをやりとりする時間を示す情報アイテムである。
【００２９】
１０において、ステーション３は、ステーション２により送信されるＣＴＳフレームを抽出する。ステーション３はまた、ＮＡＶ標識の期間と共に、テーブルへの格納のためＣＴＳフレームからステーション１のＭＡＣ  ＩＤを抽出することができる。さらに、ステーション３は、ステーション１のＭＡＣ  ＩＤを示すのと同様に、ＣＴＳフレームからＲＡ（Ｒｅｃｅｉｖｅｒ  Ａｄｄｒｅｓｓ）を抽出する。
【００３０】
１１において、ステーション３は、現在ステーション１と２との間でやりとりされるＤＡＴＡフレームを聴取する段階にあり、ステーション１により送信された第１のＤＡＴＡフレームを第１受信アンテナを介し抽出する。
【００３１】
１２において、ステーション３は、ＤＡＴＡフレームの受信に関して信号パワーを測定することにより、アンテナ４を介する聴取クオリティを解析し、１３において、ステーション３は、現在の受信アンテナ４の識別子に対応して、テーブルに当該測定結果を記録する。ステーション３は、他の現在の受信アンテナ４のためステップ１１に戻り、ステーション１を特定することによりそれの処理を継続する。従って、ステーション３は、受信アンテナ４とステーション１に対応する各種測定値の対応関係が存在するテーブルを取得するため、受信アンテナ４の全体を介し連続的に処理１１、１２及び１３を処理するループを連鎖させる。この信号パワーの測定は、ＲＳＳタイプの既知の測定とすることができる。
【００３２】
受信アンテナ４に関するＲＳＳ測定のための時間により分割される１以上のＤＡＴＡフレームの送信期間は、ステーション１と２の間の処理中の１以上の処理ループ１１、１２及び１３においてスキャン可能な受信アンテナ数を与える。
【００３３】
１４において、ステーション１と２の間の処理の完了により、ステーション３は、受信においてステーション１とのベストな通信リンクを確立する受信アンテナ４を、上述のテーブルに基づき特定する。このベストな通信リンクは、最大となる信号パワーの測定に対応する。
【００３４】
１５においてステーション２により送信されるＡＣＫフレームを抽出することにより、ステーション３は、ステップ１４において実行される受信アンテナ４の特定を検証する。このアンテナ４は、ステーション３によりステーション１と通信するのに以降において利用される。
【００３５】
ステーション３は、ＲＳＳ測定結果を含むテーブルを連続的に更新するため、ＤＡＴＡフレームを送信するネットワークの互いのステーションに対して、図２に示される処理を繰り返すよう構成される。
【００３６】
ステーション３は、例えば、ステーション１の複数の処理を介し、ステーション１などのネットワークのあるステーションに係るＲＳＳ測定テーブルの更新を実行するよう構成されてもよい。
【００３７】
図３は、受信アンテナダイバーシチモードによりステーション３を動作させる本発明による方法の第２実現形態を示す概略図である。
【００３８】
２０において、ステーション３は、ステーション２との通信のため媒体をリザーブするため、ステーション１により送信されるＲＴＳフレームを抽出する。２１において、ステーション３は、ＮＡＶ標識と同様に、テーブルに格納されるＲＴＳフレームからステーション１のＭＡＣ  ＩＤアドレスを抽出する（ブロック２２）。
【００３９】
２３において、ステーション３は、ステーション２により送信されるＣＴＳフレームを抽出する。
【００４０】
２４において、ステーション３は、現在ステーション１と２との間でやりとりされるフレームを聴取する段階にあり、ステーション１により送信されるＤＡＴＡフレームを第１受信アンテナ４を介し抽出する。このＤＡＴＡフレームは、特に同期データを含むプリアンブルを有する。
【００４１】
２５において、ステーション３は、同期データと予め記録されているデータとをビット単位で比較することにより、受信アンテナ４を介する聴取クオリティを解析する。これらの予め記録されているデータは、例えば、同期シーケンスの「０」と「１」を交互にする２４ビットである。
【００４２】
２６において、ステーション３は、検討されるアンテナ４を介する受信クオリティを評価するため、上記比較に引き続き誤り解析を行う。この誤り解析の結果は、現在の受信アンテナ４の識別子に対応してテーブルに記録される（ブロック２７）。
【００４３】
２８においてステーション２により送信されたＡＣＫフレームを抽出することにより、ステーション３は、ステップ２７において実行された誤り解析を検証する。
【００４４】
受信アンテナ４の対応テーブルは、ステーション１からの複数のＤＡＴＡフレームの解析を介して完成されるということは理解されるべきである。ステーション１とのベストな通信リンクを確立するアンテナは、プリアンブルの比較において最も低い誤りレベルを示すものである。さらに、ステーション３は、ＤＡＴＡフレームを送信するネットワークの他の各ステーションに対して図３に示される処理を繰り返し、誤り解析結果を含むテーブルを連続的に更新するよう構成されてもよい。
【００４５】
図３に示されるアンテナダイバーシチモードによる動作のためのアンテナ識別選択方法は、良好な信頼性を示し、図２に示される方法を補完することが可能である。
【００４６】
図４は、受信アンテナダイバーシチモードによりステーション３を動作させるための本発明による方法の第３の実現形態を示す概略図である。図４においては、ステーション３が他の２つのステーション１と２との間でやりとりされるフレームを取得するケースのみが表される。簡単化のため、ステーション３が他のステーションとフレームをやりとりする通常のケースは表されない。
【００４７】
３０において、ステーション３は、ステーション２との通信のため媒体をリザーブするため、ステーション１により送信されるＲＴＳフレームを抽出する。３１において、ステーション３は、ＮＡＶ標識と同様に、テーブルに格納されるＲＴＳフレームからステーション１のＭＡＣ  ＩＤアドレスを抽出する（ブロック３２）。
【００４８】
３３において、ステーション３は、ステーション２により送信されるＣＴＳフレームを抽出する。
【００４９】
３４において、ステーション３は、現在ステーション１と２との間でやりとりされるフレームを聴取する段階にあり、ステーション１により送信されるＤＡＴＡフレームを第１受信アンテナ４を介し抽出する。このＤＡＴＡフレームは、特に同期データを含むプリアンブルを有する。
【００５０】
３５において、ステーション３は、同期データと予め記録されているデータとを比較することにより、第１受信アンテナ４を介する聴取クオリティを解析する。ＤＡＴＡフレームのプリアンブルと所定のデータとを比較することにより、現在テストされているアンテナ４の受信パフォーマンスを特徴付ける信頼性標識が取得される。この比較は、相関の測定とすることが可能である。本発明によると、プリアンブルに基づく任意のクオリティ測定は、ＦＲ０１１５８９２に規定されるものとして利用することができる。Ｈｉｐｅｒｌａｎ／２のフレームワークでは、ＤｉＬ段階においてやりとりされるフレームのＢＢＣ部分は、このような測定を実行するのに十分な長さのプリアンブルである。
【００５１】
３６において、プリアンブルの解析後、ステーション３は、ＤＡＴＡフレームの受信に関して信号パワーを測定することにより、第１受信アンテナ４を介した聴取クオリティを解析する。この信号パワーの測定は、ＲＳＳタイプの既知の測定とすることができる。
【００５２】
従って、このパワーレベルの測定は、３７におけるＲＳＳ測定を向上させるため、３５において実行されるプリアンブル測定と組み合わされる。この合成は、両方の測定結果の加重和とすることができる。その後、この改良されたＲＳＳ測定結果が、３８においてテーブルに格納される。
【００５３】
ステーション３は、第２受信アンテナ４に対してステップ３６に戻り、ステーション１を特定することによりそれの処理を継続する。他の受信アンテナ４について、ＤＡＴＡフレーム６１の受信に関する信号パワーの簡単な測定が利用される。従って、ステーション３は、受信アンテナ４とステーション１に対応する各種測定値との対応関係が存在するテーブルを取得するため、残りの受信アンテナ４の全体を介し連続的に処理３６、３７及び３８の処理するループを連鎖する。
【００５４】
３９においてステーション２により送信されるＡＣＫフレームを抽出することにより、ステーション３は、以前の測定を検証する。
【００５５】
ステーション１からの複数のＤＡＴＡフレームの解析を介し、受信アンテナ４に対する対応テーブルが完成されることが理解される。ステーション１とのベストな通信リンクを確立するアンテナは、最大となる合成された測定値を示すものである。
【００５６】
さらに、ステーション３は、ＤＡＴＡフレームを送信するネットワークの他の各ステーションについて図４に示される処理を繰り返し、解析結果を含むテーブルを連続的に更新するよう構成されてもよい。
【００５７】
本発明の実施例によると、ＲＳＳ測定の向上が推定される第１のテストアンテナは、それに関するＲＳＳ測定の向上を有しないアンテナ４の１つである。すべてのアンテナ４がそれに関するＲＳＳ測定の向上を有する場合、第１テストアンテナ４は、向上したＲＳＳ測定が最も以前のものとなるアンテナである。
【００５８】
本発明による方法によると、受信アンテナダイバーシチモードによる動作のためのアンテナの特定は、無線通信ネットワークの各ステーションの非アクティブ期間中に実行され、これにより、当該ネットワークのパフォーマンスに影響を与えない。
【００５９】
アンテナダイバーシチモードにより動作するステーションのベストな受信アンテナの選択は、ステーションの受信ゲインを増大させ、干渉を低下させるのに供され、これにより、受信に関するエラーを限定する。さらに、ネットワークの信頼性が向上され、これにより、信号パワーの減衰を補償するのに用いられる誤りマージンを減少させ、より大きな範囲又はより高いスループットに到達することが可能となる。
【００６０】
本発明による方法は、より詳細には、ＤＡＴＡフレームのやりとりがステーション間で多数行われるネットワークにおいて特に効果的である。従って、測定は帯域幅の劣化なく極めて高速に更新される。特に、本発明による方法は、ビジーなネットワークに極めて適している。
【００６１】
もちろん、本発明は、通信ネットワークがネットワークのステーション間のダイレクトリンクを許可する場合、他の通信規格に適用可能である。
【００６２】
Ｈｉｐｅｒｌａｎ／２の場合、ＣＣステーションは、受信アンテナダイバーシチモードにより動作し、２つの他のＭＴステーション間のダイレクトリンク接続中に本発明による方法により各ＭＴステーションについて、対象とされるＭＴステーションと通信するための受信アンテナを特定する。さらに、各ＭＴステーションは、ダウンリンク接続中にＣＣステーションとのベストな通信リンクを確立するため、それの各種受信アンテナからある受信アンテナを特定する。さらに、各ＭＴステーションは、アップリンク接続中にＭＴステーションとのベストな通信リンクを確立するため、それの各種受信アンテナからある受信アンテナを特定する。
【００６３】
集中化ネットワーク（すなわち、ＢＳＳのＩＥＥＥ８０２．１１）では、本発明はまたステーションについて適用可能である。すべてのステーションは、ＡＰと他のステーションの間の通信中に受信アンテナダイバーシチモードにより動作し、これにより、ＡＰステーションとのベストな通信リンクを確立するため、それの各種受信アンテナからある受信アンテナを特定する。
【図面の簡単な説明】
【００６４】
【図１】図１は、本発明による送受信ステーションを有する無線通信ネットワークを図式的に示す。
【図２】図２は、アンテナダイバーシチモードによりステーションを動作させるための本発明による方法の第１実現形態を示す図式的な概略図である。
【図３】図３は、アンテナダイバーシチモードによりステーションを動作させるための本発明による方法の第２実現形態を示す図式的な概略図である。
【図４】図４は、アンテナダイバーシチモードによりステーションを動作させるための本発明による方法の第３実現形態を示す図式的な概略図である。
【図１】
2007509548.tif 000003
【図２】
2007509548.tif 000004
【図３】
2007509548.tif 000005
【図４】
2007509548.tif 000006
【国際調査報告】
2007509548.tif 000007
2007509548.tif 000008